【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2018500446.tif 000001
（式中、
ＸはＯ、Ｓ、ＮＲａ、ＰＲｂ、又はＰＯＯＲｃであり、
Ｒａは水素又はハロゲンであり、或いは、Ｒａは、任意にハロゲンで置換されている、カルボニル炭化水素、直鎖又は分岐の不飽和又は飽和アルキル炭化水素、環状、芳香族、又は脂肪族炭化水素であり、
Ｒｂは水素又はハロゲンであり、或いは、Ｒｂは、任意にハロゲンで置換されている、カルボニル炭化水素、直鎖又は分岐の不飽和又は飽和アルキル炭化水素、直鎖又は分岐の不飽和又は飽和アルコキシ炭化水素、環状、芳香族、又は脂肪族炭化水素であり、
Ｒｃは水素であり、或いは、Ｒｃは、任意にハロゲンで置換されている、カルボニル炭化水素、直鎖又は分岐の不飽和又は飽和アルキル炭化水素、環状、芳香族、又は脂肪族炭化水素であり、
Ｒ１〜Ｒ８は独立して水素又はハロゲンであり、或いは、Ｒ３は直鎖又は分岐のＣ１〜Ｃ１２アルコキシであり、或いは、
Ｒ１〜Ｒ８は、独立して、単独の、又はＣ５〜Ｃ３０置換又は無置換の５又は６員脂肪族又は芳香族炭化水素環と組み合わせた、任意にハロゲンで置換されている、直鎖又は分岐の不飽和又は飽和Ｃ１〜Ｃ３０アルキルである）で示される内部電子供与体化合物を含む、オレフィン重合触媒成分。
【請求項２】
Ｒ１及びＲ２及び／又はＲ７及びＲ８は、任意にハロゲンで置換されている５又は６員脂肪族又は芳香族炭化水素環を形成し、Ｒ３は直鎖又は分岐の不飽和又は飽和Ｃ１〜Ｃ１２アルキルである、或いは、Ｒ３は直鎖又は分岐のＣ１〜Ｃ１２アルコキシである、請求項１に記載のオレフィン重合触媒成分。
【請求項３】
ＸはＯである、請求項１に記載のオレフィン重合触媒成分。
【請求項４】
前記内部電子供与体化合物は、以下に示す（Ｄ−１）である、請求項１に記載のオレフィン重合触媒成分：
【化２】
2018500446.tif 000002
【請求項５】
オレフィンの重合のための触媒系であって、前記触媒系は、
ａ）ハロゲン化チタン及び／又はハロゲン化マグネシウムを更に含む、請求項１に記載のオレフィン重合触媒成分と、
ｂ）有機アルミニウム化合物と、
ｃ）任意に、外部電子供与体と、を含む、触媒系。
【請求項６】
前記ハロゲン化マグネシウムは塩化マグネシウムであり、前記ハロゲン化チタンはＴｉＣｌ４又はＴｉＣｌ３である、請求項５に記載の触媒系。
【請求項７】
前記有機アルミニウム化合物は、アルキルアルミニウム化合物である、請求項５に記載の触媒系。
【請求項８】
前記アルキルアルミニウム化合物は、トリアルキルアルミニウム化合物である、請求項７に記載の触媒系。
【請求項９】
前記トリアルキルアルミニウム化合物は、トリエチルアルミニウム、トリイソブチルアルミニウム、トリ−ｎ−オクチルアルミニウム、及びこれらの組み合わせからなる群から選択される、請求項８に記載の触媒系。
【請求項１０】
エステル、フタル酸化合物、ケトン、及び／又はエーテルを更に含む、請求項５に記載の触媒系。
【請求項１１】
有機ケイ素化合物をさらに含む、請求項５に記載の触媒系。
【請求項１２】
前記有機ケイ素化合物は、化学式（ＩＩ）：
ＲｎＳｉ（ＯＲ’）４−ｎ    （ＩＩ）
（式中、Ｒ及びＲ’はそれぞれ独立して炭化水素基を表し、ｎは０〜３の整数である）で表される有機ケイ素化合物である、請求項１１に記載の触媒系。
【請求項１３】
前記有機ケイ素化合物は、化学式（ＩＩＩ）：
ＳｉＲＲ’ｍ（ＯＲ’’）３−ｍ    （ＩＩＩ）
（式中、Ｒは環状炭化水素又は置換された環状炭化水素基を表し、Ｒ’及びＲ’’はそれぞれ独立して炭化水素基を表し、ｍは０〜２の整数である）で表される有機ケイ素化合物である、請求項１１に記載の触媒系。
【請求項１４】
オレフィンモノマーを重合又は共重合するためのプロセスであって、前記プロセスは、
（ｉ）請求項５又は１１に記載の触媒系を提供し、
（ｉｉ）前記触媒系の存在下でオレフィンモノマーを重合又は共重合してポリマー又はコポリマーを形成し、
（ｉｉｉ）前記ポリマー又はコポリマーを回収する
ことを含む、プロセス。
【請求項１５】
前記オレフィンモノマーは、エチレン、プロピレン、１−ブチレン、４−メチル−１−ペンテン、１−ヘキセン、１−オクテン、及びこれらの組み合わせからなる群から選択される、請求項１４に記載のプロセス。
【手続補正２】
【補正対象書類名】明細書
【補正対象項目名】０１３０
【補正方法】変更
【補正の内容】
【０１３０】
[0123]
本明細書が、新規で、有用で、かつ非自明な、オレフィン重合に使用されるオレフィン重合触媒成分を含む触媒系と、当該オレフィン重合触媒成分及び当該触媒系の作製方法と、当該触媒系を使用してα−オレフィンを重合又は共重合する方法について記載していることは、当業者にとって明らかである。上述した本開示の様々な実施形態について、修正、変形、置換、及び同等物が多数存在することは、当業者にとって明らかである。従って、そのような修正、変形、置換、及び同等物の全てが、添付された特許請求の範囲において定義される本出願の精神及び範囲内で、本出願に含まれることが明確に意図されている。
［発明の態様］
式（Ｉ）：
【化１】
2018500446.tif 000003
（式中、
ＸはＯ、Ｓ、ＮＲａ、ＰＲｂ、又はＰＯＯＲｃであり、
Ｒａは独立して水素又はハロゲンであり、或いは、Ｒａは、独立して、任意にハロゲンで置換されている、カルボニル炭化水素、直鎖又は分岐の不飽和又は飽和アルキル炭化水素、環状、芳香族、又は脂肪族炭化水素であり、
Ｒｂは独立して水素又はハロゲンであり、或いは、Ｒｂは、独立して、任意にハロゲンで置換されている、カルボニル炭化水素、直鎖又は分岐の不飽和又は飽和アルキル炭化水素、直鎖又は分岐の不飽和又は飽和アルコキシ炭化水素、環状、芳香族、又は脂肪族炭化水素であり、
Ｒｃは水素であり、或いは、Ｒｃは、任意にハロゲンで置換されている、カルボニル炭化水素、直鎖又は分岐の不飽和又は飽和アルキル炭化水素、環状、芳香族、又は脂肪族炭化水素であり、
Ｒ１〜Ｒ８は同一又は異なる水素又はハロゲンであり、或いは、
Ｒ１〜Ｒ８は、単独の、又はＣ５〜Ｃ３０置換又は無置換の５又は６員脂肪族又は芳香族炭化水素環と組み合わせた、任意にハロゲンで置換されている、同一又は異なる直鎖又は分岐の不飽和又は飽和Ｃ１〜Ｃ３０アルキルである）で示される内部電子供与体化合物を含む、オレフィン重合触媒成分。
［２］
Ｒ１及びＲ２及び／又はＲ７及びＲ８は、任意にハロゲンで置換されている５又は６員脂肪族又は芳香族炭化水素環を形成し、
Ｒ３は直鎖又は分岐の不飽和又は飽和Ｃ１〜Ｃ１２アルキルである、或いは、Ｒ３は直鎖又は分岐のＣ１〜Ｃ１２アルコキシである、１に記載のオレフィン重合触媒成分。
［３］
ＸはＯである、１に記載のオレフィン重合触媒成分。
［４］
１の前記内部電子供与体化合物は、以下に示す（Ｄ−１）である：
【化２】
2018500446.tif 000004
［５］
オレフィンの重合のための触媒系であって、
ａ）ハロゲン化チタン及び／又はハロゲン化マグネシウムを更に含む、１に記載のオレフィン重合触媒成分と、
ｂ）有機アルミニウム化合物と、
ｃ）任意に、外部電子供与体と、を含む、触媒系。
［６］
前記ハロゲン化マグネシウムは塩化マグネシウムであり、前記ハロゲン化チタンはＴｉＣｌ４又はＴｉＣｌ３である、５に記載の触媒系。
［７］
前記有機アルミニウム化合物は、アルキルアルミニウム化合物である、５に記載の触媒系。
［８］
前記アルキルアルミニウム化合物は、トリアルキルアルミニウム化合物である、７に記載の触媒系。
［９］
前記トリアルキルアルミニウム化合物は、トリエチルアルミニウム、トリイソブチルアルミニウム、トリ−ｎ−オクチルアルミニウム、及びこれらの組み合わせからなる群から選択される、８に記載の触媒系。
［１０］
エステル、フタル酸化合物、ケトン、及び／又はエーテルを更に含む、５に記載の触媒系。
［１１］
オレフィンを重合又は共重合するためのプロセスであって、
ａ）５に記載の触媒系を提供し、
ｂ）前記触媒系の存在下でオレフィンを重合又は共重合してポリマー又はコポリマーを形成し、
ｃ）前記ポリマー又はコポリマーを回収する、プロセス。
［１２］
前記オレフィンは、エチレン、プロピレン、１−ブチレン、４−メチル−１−ｐｅｎｔｅｎｔｅ、１−ヘキセン、１−オクテン、及びこれらの混合物からなる群から選択される、１１に記載のプロセス。
［１３］
式（Ｉ）：
【化３】
2018500446.tif 000005
（式中、
ＸはＯ、Ｓ、ＮＲａ、ＰＲｂ、又はＰＯＯＲｃであり、
Ｒａは独立して水素又はハロゲンであり、或いは、Ｒａは、独立して、任意にハロゲンで置換されている、カルボニル炭化水素、直鎖又は分岐の不飽和又は飽和アルキル炭化水素、環状、芳香族、又は脂肪族炭化水素であり、
Ｒｂは独立して水素又はハロゲンであり、或いは、Ｒｂは、独立して、任意にハロゲンで置換されている、カルボニル炭化水素、直鎖又は分岐の不飽和又は飽和アルキル炭化水素、直鎖又は分岐の不飽和又は飽和アルコキシ炭化水素、環状、芳香族、又は脂肪族炭化水素であり、
Ｒｃは水素であり、或いは、Ｒｃは、任意にハロゲンで置換されている、カルボニル炭化水素、直鎖又は分岐の不飽和又は飽和アルキル炭化水素、環状、芳香族、又は脂肪族炭化水素であり、
Ｒ１〜Ｒ８は同一又は異なる水素又はハロゲンであり、或いは、
Ｒ１〜Ｒ８は、単独の、又はＣ５〜Ｃ３０置換又は無置換の５又は６員脂肪族又は芳香族炭化水素環と組み合わせた、任意にハロゲンで置換されている、同一又は異なる直鎖又は分岐の不飽和又は飽和Ｃ１〜Ｃ３０アルキルである）で示される内部電子供与体化合物を含む触媒成分を含むオレフィンの重合のための触媒系。
［１４］
ＸはＯであり、
Ｒ１及びＲ２及び／又はＲ７及びＲ８は、任意にハロゲンで置換されている５又は６員炭化水素環を形成し、
Ｒ３は直鎖又は分岐の不飽和又は飽和Ｃ１〜Ｃ１２アルキルである、或いは、Ｒ３は直鎖又は分岐のＣ１〜Ｃ１２アルコキシである、１３に記載のオレフィン重合触媒成分。
［１５］
オレフィン重合に使用される触媒系であって、
１に記載のオレフィン重合触媒成分と、
有機アルミニウム化合物と、
有機ケイ素化合物と、を含む、触媒系。
［１６］
前記有機アルミニウム化合物は、アルキルアルミニウム化合物である、１５に記載の触媒系。
［１７］
前記アルキルアルミニウム化合物は、トリアルキルアルミニウム化合物である、１６に記載の触媒系。
［１８］
前記トリアルキルアルミニウム化合物は、トリエチルアルミニウム、トリイソブチルアルミニウム、トリ−ｎ−オクチルアルミニウム、及びこれらの組み合わせからなる群から選択される、１７に記載の触媒系。
［１９］
前記有機ケイ素化合物は、化学式（ＩＩ）：
ＲｎＳｉ（ＯＲ’）４−ｎ      （ＩＩ）
（式中、Ｒ及びＲ’はそれぞれ独立して炭化水素基を表し、ｎは０〜３の整数である）で表される有機ケイ素化合物である、１５に記載の触媒系。
［２０］
前記有機ケイ素化合物は、化学式（ＩＩＩ）：
ＳｉＲＲ’ｍ（ＯＲ’’）３−ｍ      （ＩＩＩ）
（式中、Ｒは独立して環状炭化水素又は置換された環状炭化水素基を表し、Ｒ’及びＲ’’はそれぞれ独立して炭化水素基を表し、ｍは０〜２の整数である）で表される有機ケイ素化合物である、１５に記載の触媒系。
［２１］
オレフィンモノマーを重合又は共重合するためのプロセスであって、
（ｉ）１５に記載の触媒系を提供し、
（ｉｉ）前記触媒系の存在下でオレフィンモノマーを重合又は共重合してポリマー又はコポリマーを形成し、
（ｉｉｉ）前記ポリマー又はコポリマーを回収する、ことを含むプロセス。
［２２］
前記オレフィンモノマーは、エチレン、プロピレン、１−ブチレン、４−メチル−１−ペンテン、１−ヘキセン、１−オクテン、及びこれらの組み合わせからなる群から選択される、２１に記載のプロセス。